(57)【特許請求の範囲】
【請求項１】
出発地を示す出発地情報を取得する出発地取得部と、
前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、
事業者が誘導したい前記施設に関する誘導基本情報を取得する誘導基本取得部と、
前記事業者が誘導したい前記施設の優先度を決定する優先度決定部と、
前記優先度決定部が決定した前記優先度に基づいて、前記利用可能施設取得部が取得する１以上の前記利用可能施設情報を並べた利用可能施設一覧情報を取得する利用可能施設一覧取得部と、
前記利用可能施設一覧取得部が取得する前記利用可能施設一覧情報を出力する利用可能施設一覧出力部と、
を備え、
前記利用可能施設取得部が取得する１以上の前記利用可能施設情報のそれぞれは、前記利用可能施設情報に対応する前記施設の名称を示す施設名称情報と、前記利用可能施設情報に対応する所在地を示す所在地情報を含み、
前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得する移動料金取得部
を備え、
前記優先度決定部は、前記誘導基本取得部が取得する前記誘導基本情報に加えて、前記移動料金取得部が取得する前記移動料金情報に基づいて、前記事業者が誘導したい前記施設の前記優先度を決定すること
を特徴とする施設提示装置。
【請求項２】
前記利用可能施設一覧取得部は、前記利用可能施設一覧情報を取得する際に、前記移動料金取得部が取得する前記移動料金情報を前記利用可能施設情報に対応付けて並べた前記利用可能施設一覧情報を取得すること
を特徴とする請求項１記載の施設提示装置。
【請求項３】
出発地を示す出発地情報を取得する出発地取得部と、
前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、
事業者が誘導したい前記施設に関する誘導基本情報を取得する誘導基本取得部と、
前記事業者が誘導したい前記施設の優先度を決定する優先度決定部と、
前記優先度決定部が決定した前記優先度に基づいて、前記利用可能施設取得部が取得する１以上の前記利用可能施設情報を並べた利用可能施設一覧情報を取得する利用可能施設一覧取得部と、
前記利用可能施設一覧取得部が取得する前記利用可能施設一覧情報を出力する利用可能施設一覧出力部と、
を備え、
前記利用可能施設取得部が取得する１以上の前記利用可能施設情報のそれぞれは、前記利用可能施設情報に対応する前記施設の所在地を示す所在地情報と、前記利用可能施設情報に対応する全施設の利用料金を示す利用料金情報とを含み、
前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得する移動料金取得部と、
前記移動料金取得部が取得する前記移動料金情報が示す前記移動料金と、前記利用可能施設情報に含まれる前記利用料金情報が示す前記利用料金との合計金額を算出し、算出した前記合計金額を示す合計金額情報を取得する合計金額取得部と、
を備え、
前記優先度決定部は、前記誘導基本取得部が取得する前記誘導基本情報に加えて、前記合計金額取得部が取得する前記合計金額情報に基づいて、前記事業者が誘導したい前記施設の前記優先度を決定すること
を特徴とする施設提示装置。
【請求項４】
前記利用可能施設一覧取得部は、前記利用可能施設一覧情報を取得する際に、前記合計金額取得部が取得する前記合計金額情報を前記利用可能施設情報に対応付けて並べた前記利用可能施設一覧情報を取得すること
を特徴とする請求項３記載の施設提示装置。
【請求項５】
出発地を示す出発地情報を取得する出発地取得部と、
前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、
事業者が誘導したい前記施設に関する誘導基本情報を取得する誘導基本取得部と、
前記事業者が誘導したい前記施設の優先度を決定する優先度決定部と、
前記優先度決定部が決定した前記優先度に基づいて、前記利用可能施設取得部が取得する１以上の前記利用可能施設情報を並べた利用可能施設一覧情報を取得する利用可能施設一覧取得部と、
前記利用可能施設一覧取得部が取得する前記利用可能施設一覧情報を出力する利用可能施設一覧出力部と、
を備え、
前記利用可能施設取得部が取得する１以上の前記利用可能施設情報のそれぞれは、前記利用可能施設情報に対応する前記施設の名称を示す施設名称情報と、前記利用可能施設情報に対応する前記施設の所在地を示す所在地情報を含み、
前記利用可能施設取得部が取得する１以上の前記利用可能施設情報が示す利用可能な前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動時間を示す移動時間情報を取得する移動時間取得部と、
を備え、
前記優先度決定部は、前記誘導基本取得部が取得する前記誘導基本情報に加えて、前記移動時間取得部が取得する前記移動時間情報に基づいて、前記事業者が誘導したい前記施設の前記優先度を決定すること
を特徴とする施設提示装置。
【請求項６】
前記利用可能施設一覧取得部は、前記利用可能施設一覧情報を取得する際に、前記移動時間取得部が取得する前記移動時間情報を前記利用可能施設情報に対応付けて並べた前記利用可能施設一覧情報を取得すること
を特徴とする請求項５記載の施設提示装置。
【請求項７】
出発地を示す出発地情報を取得する出発地取得部と、
前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、
事業者が誘導したい前記施設に関する誘導基本情報を取得する誘導基本取得部と、
前記誘導基本取得部が取得する前記誘導基本情報に基づいて、前記事業者が誘導したい前記施設の優先度を決定する優先度決定部と、
前記優先度決定部が決定した前記優先度に基づいて、前記利用可能施設取得部が取得する１以上の前記利用可能施設情報を並べた利用可能施設一覧情報を取得する利用可能施設一覧取得部と、
前記利用可能施設一覧取得部が取得する前記利用可能施設一覧情報を出力する利用可能施設一覧出力部と、
を備え、
前記利用可能施設取得部が取得する１以上の前記利用可能施設情報のそれぞれは、前記利用可能施設情報に対応する前記施設の名称を示す施設名称情報と、前記利用可能施設情報に対応する前記施設の所在地を示す所在地情報を含み、
前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得する移動料金取得部と、
前記優先度決定部が決定する前記優先度に基づいて、前記移動料金取得部が取得する前記移動料金情報が示す前記移動料金を補正して、補正後の前記移動料金である移動補正料金を示す移動補正料金情報を取得する移動補正料金取得部と、
を備え、
前記利用可能施設一覧取得部は、前記利用可能施設一覧情報を取得する際に、前記移動補正料金取得部が取得する前記移動補正料金情報を前記利用可能施設情報に対応付けて並べた前記利用可能施設一覧情報を取得すること
を特徴とする施設提示装置。
【請求項８】
出発地を示す出発地情報を取得する出発地取得部と、
前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、
事業者が誘導したい前記施設に関する誘導基本情報を取得する誘導基本取得部と、
前記誘導基本取得部が取得する前記誘導基本情報に基づいて、前記事業者が誘導したい前記施設の優先度を決定する優先度決定部と、
前記優先度決定部が決定した前記優先度に基づいて、前記利用可能施設取得部が取得する１以上の前記利用可能施設情報を並べた利用可能施設一覧情報を取得する利用可能施設一覧取得部と、
前記利用可能施設一覧取得部が取得する前記利用可能施設一覧情報を出力する利用可能施設一覧出力部と、
を備え、
前記利用可能施設取得部が取得する１以上の前記利用可能施設情報のそれぞれは、前記利用可能施設情報に対応する前記施設の所在地を示す所在地情報と、前記利用可能施設情報に対応する全施設の利用料金を示す利用料金情報とを含み、
前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得する移動料金取得部と、
前記優先度決定部が決定する前記優先度に基づいて、前記移動料金取得部が取得する前記移動料金情報が示す前記移動料金を補正して、補正後の前記移動料金である移動補正料金を示す移動補正料金情報を取得する移動補正料金取得部と、
前記移動補正料金取得部が取得する前記移動補正料金情報が示す前記移動補正料金と、前記利用可能施設情報に含まれる前記利用料金情報が示す前記利用料金との合計金額である合計補正金額を算出し、算出した前記合計補正金額を示す合計補正金額情報を取得する合計補正金額取得部と、
を備え、
前記利用可能施設一覧取得部は、前記利用可能施設一覧情報を取得する際に、前記合計補正金額取得部が取得する前記合計補正金額情報を前記利用可能施設情報に対応付けて並べた前記利用可能施設一覧情報を取得すること
を特徴とする施設提示装置。
【請求項９】
出発地を示す出発地情報を取得する出発地取得部と、
前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、
事業者が誘導したい前記施設に関する誘導基本情報を取得する誘導基本取得部と、
前記誘導基本取得部が取得する前記誘導基本情報に基づいて、前記事業者が誘導したい前記施設の優先度を決定する優先度決定部と、
前記優先度決定部が決定した前記優先度に基づいて、前記利用可能施設取得部が取得する１以上の前記利用可能施設情報を並べた利用可能施設一覧情報を取得する利用可能施設一覧取得部と、
前記利用可能施設一覧取得部が取得する前記利用可能施設一覧情報を出力する利用可能施設一覧出力部と、
を備え、
前記利用可能施設取得部が取得する１以上の前記利用可能施設情報のそれぞれは、前記利用可能施設情報に対応する前記施設の所在地を示す所在地情報と、前記利用可能施設情報に対応する全施設の利用料金を示す利用料金情報とを含み、
前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得する移動料金取得部と、
前記移動料金取得部が取得する前記移動料金情報が示す前記移動料金と、前記利用可能施設情報に含まれる前記利用料金情報が示す前記利用料金との合計金額を算出し、算出した前記合計金額を示す合計金額情報を取得する合計金額取得部と、
前記優先度決定部が決定する前記優先度に基づいて、前記合計金額取得部が取得する前記合計金額情報が示す前記合計金額を補正して、補正後の前記合計金額である合計補正金額を示す合計補正金額情報を取得する合計補正金額取得部と、
を備え、
前記利用可能施設一覧取得部は、前記利用可能施設一覧情報を取得する際に、前記合計補正金額取得部が取得する前記合計補正金額情報を前記利用可能施設情報に対応付けて並べた前記利用可能施設一覧情報を取得すること
を特徴とする施設提示装置。
【請求項１０】
出発地を示す出発地情報を取得する出発地取得部と、
前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、
事業者が誘導したい前記施設に関する誘導基本情報を取得する誘導基本取得部と、
前記誘導基本取得部が取得する前記誘導基本情報に基づいて、前記事業者が誘導したい前記施設の優先度を決定する優先度決定部と、
前記優先度決定部が決定した前記優先度に基づいて、前記利用可能施設取得部が取得する１以上の前記利用可能施設情報を並べた利用可能施設一覧情報を取得する利用可能施設一覧取得部と、
前記利用可能施設一覧取得部が取得する前記利用可能施設一覧情報を出力する利用可能施設一覧出力部と、
を備え、
前記利用可能施設取得部が取得する１以上の前記利用可能施設情報のそれぞれは、前記利用可能施設情報に対応する前記施設の所在地を示す所在地情報と、前記利用可能施設情報に対応する全施設の利用料金を示す利用料金情報とを含み、
前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得する移動料金取得部と、
前記利用可能施設取得部が取得する１以上の前記利用可能施設情報が示す利用可能な前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動時間を示す移動時間情報を取得する移動時間取得部と、
前記優先度決定部が決定する前記優先度と、前記移動時間取得部が取得する前記移動時間情報とに基づいて、前記移動料金取得部が取得する前記移動料金情報が示す前記移動料金を補正して、補正後の前記移動料金である移動補正料金を示す移動補正料金情報を取得する移動補正料金取得部と、
を備え、
前記利用可能施設一覧取得部は、前記利用可能施設一覧情報を取得する際に、前記移動補正料金取得部が取得する前記移動補正料金情報を前記利用可能施設情報に対応付けて並べた前記利用可能施設一覧情報を取得すること
を特徴とする施設提示装置。
【請求項１１】
出発地を示す出発地情報を取得する出発地取得部と、
前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、
事業者が誘導したい前記施設に関する誘導基本情報を取得する誘導基本取得部と、
前記誘導基本取得部が取得する前記誘導基本情報に基づいて、前記事業者が誘導したい前記施設の優先度を決定する優先度決定部と、
前記優先度決定部が決定した前記優先度に基づいて、前記利用可能施設取得部が取得する１以上の前記利用可能施設情報を並べた利用可能施設一覧情報を取得する利用可能施設一覧取得部と、
前記利用可能施設一覧取得部が取得する前記利用可能施設一覧情報を出力する利用可能施設一覧出力部と、
を備え、
前記利用可能施設取得部が取得する１以上の前記利用可能施設情報のそれぞれは、前記利用可能施設情報に対応する前記施設の所在地を示す所在地情報と、前記利用可能施設情報に対応する全施設の利用料金を示す利用料金情報とを含み、
前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得する移動料金取得部と、
前記利用可能施設取得部が取得する１以上の前記利用可能施設情報が示す利用可能な前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動時間を示す移動時間情報を取得する移動時間取得部と、
前記優先度決定部が決定する前記優先度と、前記移動時間取得部が取得する前記移動時間情報とに基づいて、前記移動料金取得部が取得する前記移動料金情報が示す前記移動料金を補正して、補正後の前記移動料金である移動補正料金を示す移動補正料金情報を取得する移動補正料金取得部と、
前記移動補正料金取得部が取得する前記移動補正料金情報が示す前記移動補正料金と、前記利用可能施設情報に含まれる前記利用料金情報が示す前記利用料金との合計金額である合計補正金額を算出し、算出した前記合計補正金額を示す合計補正金額情報を取得する合計補正金額取得部と、
を備え、
前記利用可能施設一覧取得部は、前記利用可能施設一覧情報を取得する際に、前記合計補正金額取得部が取得する前記合計補正金額情報を前記利用可能施設情報に対応付けて並べた前記利用可能施設一覧情報を取得すること
を特徴とする施設提示装置。
【請求項１２】
出発地を示す出発地情報を取得する出発地取得部と、
前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、
事業者が誘導したい前記施設に関する誘導基本情報を取得する誘導基本取得部と、
前記誘導基本取得部が取得する前記誘導基本情報に基づいて、前記事業者が誘導したい前記施設の優先度を決定する優先度決定部と、
前記優先度決定部が決定した前記優先度に基づいて、前記利用可能施設取得部が取得する１以上の前記利用可能施設情報を並べた利用可能施設一覧情報を取得する利用可能施設一覧取得部と、
前記利用可能施設一覧取得部が取得する前記利用可能施設一覧情報を出力する利用可能施設一覧出力部と、
を備え、
前記利用可能施設取得部が取得する１以上の前記利用可能施設情報のそれぞれは、前記利用可能施設情報に対応する前記施設の所在地を示す所在地情報と、前記利用可能施設情報に対応する全施設の利用料金を示す利用料金情報とを含み、
前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得する移動料金取得部と、
前記利用可能施設取得部が取得する１以上の前記利用可能施設情報が示す利用可能な前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動時間を示す移動時間情報を取得する移動時間取得部と、
前記移動料金取得部が取得する前記移動料金情報が示す前記移動料金と、前記利用可能施設情報に含まれる前記利用料金情報が示す前記利用料金との合計金額を算出し、算出した前記合計金額を示す合計金額情報を取得する合計金額取得部と、
前記優先度決定部が決定する前記優先度と、前記移動時間取得部が取得する前記移動時間情報とに基づいて、前記合計金額取得部が取得する前記合計金額情報が示す前記合計金額を補正して、補正後の前記合計金額である合計補正金額を示す合計補正金額情報を取得する合計補正金額取得部と、
を備え、
前記利用可能施設一覧取得部は、前記利用可能施設一覧情報を取得する際に、前記合計補正金額取得部が取得する前記合計補正金額情報を前記利用可能施設情報に対応付けて並べた前記利用可能施設一覧情報を取得すること
を特徴とする施設提示装置。
【請求項１３】
前記施設の希望利用期間を示す希望利用期間情報を取得する希望利用期間取得部
を備え、
前記利用可能施設取得部は、前記出発地情報に加えて、前記希望利用期間取得部が取得する前記希望利用期間情報に基づいて、利用可能な前記施設を検索すること
を特徴とする請求項１、３、５および７から１２のいずれか１項記載の施設提示装置。
【請求項１４】
前記施設の希望利用期間を示す希望利用期間情報を取得する希望利用期間取得部
を備え、
前記誘導基本取得部は、前記希望利用期間取得部が取得する前記希望利用期間情報が示す前記施設の前記希望利用期間に対応する前記誘導基本情報を取得すること
を特徴とする請求項１、３、５および７から１２のいずれか１項記載の施設提示装置。
【請求項１５】
前記施設に備えられている希望設備、又は、前記施設が提供している希望サービスを示す希望条件情報を取得する希望条件取得部
を備え、
前記利用可能施設取得部は、前記出発地情報に加えて、前記希望条件取得部が取得する前記希望条件情報に基づいて、利用可能な前記施設を検索すること
を特徴とする請求項１、３、５および７から１２のいずれか１項記載の施設提示装置。
【請求項１６】
前記誘導基本取得部が取得する前記誘導基本情報は、前記施設毎の混雑状況を示す施設混雑情報、前記施設毎の施設周辺における混雑状況を示す周辺混雑情報、前記施設毎の前記施設周辺において開催されているイベントであって前記事業者が誘導したい前記イベントを示すイベント情報、又は、前記施設毎の前記施設周辺にある商店であって前記事業者が誘導したい前記商店を示す商店情報であること
を特徴とする請求項１、３、５および７から１２のいずれか１項記載の施設提示装置。
【請求項１７】
前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地まで移動するための移動手段を示す移動手段情報を取得する移動手段取得部
を備え、
前記誘導基本取得部が取得する前記誘導基本情報は、前記移動手段の混雑状況を示す移動手段混雑情報であって、
前記優先度決定部は、前記誘導基本取得部が取得する前記誘導基本情報である前記移動手段混雑情報に加えて、前記移動手段取得部が取得する移動手段情報に基づいて、前記事業者が誘導したい前記施設の前記優先度を決定すること
を特徴とする請求項１、３、５および７から１２のいずれか１項記載の施設提示装置。
【請求項１８】
前記利用可能施設取得部が取得する１以上の前記利用可能施設情報のうちの選択された前記利用可能施設情報に対応する前記施設を利用するための予約申請を示す予約申請情報を取得する予約申請取得部と、
前記予約申請取得部が取得する前記予約申請情報に基づいて、当該施設を利用するための予約手続処理を行う予約手続部と、
を備えたこと
を特徴とする請求項１、３、５および７から１２のいずれか１項記載の施設提示装置。
【請求項１９】
出発地取得部が、出発地を示す出発地情報を取得する出発地取得ステップと、
利用可能施設取得部が、前記出発地取得部が取得する前記出発地情報に基づいて、利用可能な施設を検索し、検索結果として得られた１以上の利用可能な前記施設を示す前記施設毎の利用可能施設情報を取得する利用可能施設取得ステップと、
誘導基本取得部が、事業者が誘導したい前記施設に関する誘導基本情報を取得する誘導基本取得ステップと、
優先度決定部が、前記事業者が誘導したい前記施設の優先度を決定する優先度決定ステップと、
利用可能施設一覧取得部が、前記優先度決定ステップにより決定された前記優先度に基づいて、前記利用可能施設取得ステップにより取得された１以上の前記利用可能施設情報を並べた利用可能施設一覧情報を取得する利用可能施設一覧取得ステップと、
利用可能施設一覧出力部が、前記利用可能施設一覧取得ステップにより取得された前記利用可能施設一覧情報を出力する利用可能施設一覧出力ステップと、
を備え、
前記利用可能施設取得部が取得する１以上の前記利用可能施設情報のそれぞれは、前記利用可能施設情報に対応する前記施設の名称を示す施設名称情報と、前記利用可能施設情報に対応する前記施設の所在地を示す所在地情報を含み、
移動料金取得部が、前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得するステップを備え、
前記優先度決定部は、前記誘導基本取得部が取得する前記誘導基本情報に加えて、前記移動料金取得部が取得する前記移動料金情報に基づいて、前記事業者が誘導したい前記施設の前記優先度を決定すること
を特徴とする施設提示方法。
【発明の詳細な説明】
【技術分野】
【０００１】
本開示は、施設提示装置及び施設提示方法に関する。
【背景技術】
【０００２】
指定された条件に基づいて、当該条件に適合する宿泊施設、飲食店、又はシェアオフィス等の施設を示す情報（以下「施設情報」という。）を取得して、取得した施設情報を端末に表示する技術がある。【０００３】
例えば、交通手段及び宿泊施設の予約を併せて受け付ける予約受付システムの分野においては、少なくとも運送料の情報を含む、交通手段の空席情報を記憶する空席情報記憶手段と、少なくとも宿泊料の情報を含む、宿泊施設の空室情報を記憶する空室情報記憶手段と、ユーザの端末から、交通手段及び宿泊施設の検索条件を受信する検索条件受信手段と、空席情報記憶手段から検索条件を満たす空席情報を複数取得し、該取得した空席情報に対応する交通手段の運送料の情報を生成する空席情報取得・運送料生成手段と、空室情報記憶手段から検索条件を満たす空室情報を複数取得し、該取得した空室情報に対応する宿泊施設の宿泊料の情報を生成する空室情報取得・宿泊料生成手段と、取得した複数の空席情報と取得した複数の空室情報とから交通手段及び宿泊施設の選択ページを生成し、該生成した選択ページに、宿泊施設ごとに、取得した複数の空席情報の中から予め設定した条件で往路・復路各１つずつ選択した交通手段の運送料と宿泊施設の宿泊料とで算出した料金の総額の情報を付加して、ユーザの端末に送信する選択ページ送信手段とを備えた予約受付システムが知られている（例えば、特許文献１（請求項１）参照。）。
【先行技術文献】
【特許文献】
【０００４】
【特許文献１】特開２００９−９８９０４号
【発明の概要】
【発明が解決しようとする課題】
【０００５】
施設情報を提示する事業者（以下、単に「事業者」という。）は、特定の施設をユーザに利用させたい場合がある。
特許文献１に開示された予約受付システム（以下「従来技術」という。）は、ユーザに対して、交通手段又は宿泊施設の対比又は検討を可能にするものである。しかしながら、従来技術では、上述のように事業者がユーザに利用させたい施設を、ユーザが利用するように誘導することはできないという問題点があった。【０００６】
この開示は、上述の問題点を解決するためのもので、事業者がユーザに利用させたい施設を、ユーザが利用するように誘導することを可能にする施設提示装置を提供することを目的としている。
【課題を解決するための手段】
【０００７】
本開示の施設提示装置は、出発地を示す出発地情報を取得する出発地取得部と、前記出発地取得部が取得する前記出発地情報に基づいて、利用可能な施設を検索し、検索結果として得られた１以上の利用可能な前記施設を示す前記施設毎の利用可能施設情報を取得する利用可能施設取得部と、事業者が誘導したい前記施設に関する誘導基本情報を取得する誘導基本取得部と、前事業者が誘導したい施設の優先度を決定する優先度決定部と、前記優先度決定部が決定した前記優先度に基づいて、前記利用可能施設取得部が取得する１以上の前記利用可能施設情報を並べた利用可能施設一覧情報を取得する利用可能施設一覧取得部と、前記利用可能施設一覧取得部が取得する前記利用可能施設一覧情報を出力する利用可能施設一覧出力部と、を備え、前記利用可能施設取得部が取得する１以上の前記利用可能施設情報のそれぞれは、前記利用可能施設情報に対応する前記施設の所在地を示す所在地情報を含むものであって、前記利用可能施設取得部が取得する１以上の前記利用可能施設情報に対応する前記施設毎に、前記出発地取得部が取得する前記出発地情報と、前記利用可能施設情報に含まれる前記所在地情報とに基づいて、前記出発地情報が示す前記出発地から前記所在地情報が示す前記所在地までの移動に掛かる移動料金を示す移動料金情報を取得する移動料金取得部を備え、前記優先度決定部は、前記誘導基本取得部が取得する前記誘導基本情報に加えて、前記移動料金取得部が取得する前記移動料金情報に基づいて、前記事業者が誘導したい前記施設の前記優先度を決定するものである。
【発明の効果】
【０００８】
本開示によれば、事業者がユーザに利用させたい施設を、ユーザが利用するように誘導することができる。
【図面の簡単な説明】
【０００９】
【図１】図１は、実施の形態１に係る施設提示装置が適用される施設提示システムの要部の構成、及び、施設提示装置の要部の構成の一例を示すブロック図である。
【図２】図２は、実施の形態１に係る施設提示装置が備える利用可能施設一覧出力部が出力する利用可能施設一覧情報に基づいて、ユーザ端末が、ユーザ端末に備えられた表示部に出力する表示の一例を示す説明図である。
【図３】図３Ａ及び図３Ｂは、実施の形態１に係る施設提示装置の要部のハードウェア構成の一例を示す図である。
【図４】図４は、実施の形態１に係る施設提示装置の処理の一例を示すフローチャートである。
【発明を実施するための形態】
【００１０】
以下、本開示の実施の形態について、図面を参照しながら詳細に説明する。
【００１１】
実施の形態１．
図１から図４を参照して、実施の形態１に係る施設提示装置１００について説明する。
図１を参照して、実施の形態１に係る施設提示装置１００が適用される施設提示システム１の要部の構成、及び、施設提示装置１００の要部の構成について説明する。
図１は、実施の形態１に係る施設提示装置１００が適用される施設提示システム１の要部の構成、及び、施設提示装置１００の要部の構成の一例を示すブロック図である。
施設提示システム１は、ユーザ端末１０、記憶装置２０、及び施設提示装置１００を備える。
【００１２】
施設提示システム１が備えるユーザ端末１０、記憶装置２０、及び施設提示装置１００のそれぞれは、情報の送受信が可能なネットワーク７０を介して接続されている。
具体的には、例えば、ネットワーク７０は、インターネット等の通信ネットワークである。より具体的には、例えば、ネットワーク７０は、無線ＬＡＮ（Ｌｏｃａｌ  Ａｒｅａ  Ｎｅｔｗｏｒｋ）、ＬＴＥ（Ｌｏｎｇ  Ｔｅｒｍ  Ｅｖｏｌｕｔｉｏｎ）、若しくはＢＴ（Ｂｌｕｅｔｏｏｔｈ（登録商標））等の無線通信ネットワーク、又は、有線ＬＡＮ、又は若しくは所定のプロトコルに用いた通信を行う信号線等の有線通信ネットワークにより構成される。
【００１３】
ユーザ端末１０は、スマートフォン、若しくはタブレット端末等の携帯端末、又は、パーソナルコンピュータ等の情報処理端末である。ユーザ端末１０は、ユーザ端末１０を使用するユーザ（以下、単に「ユーザ」という。）からの操作入力を受け付ける操作受付部と、表示出力を行う表示部とを備え、ユーザ端末１０は、操作受付部及び表示部により、ユーザに、ユーザインタフェースを提供する。
【００１４】
施設提示装置１００は、ユーザが利用可能な施設を検索し、検索結果として得られた１以上の利用可能な施設を示す利用可能施設情報を施設毎に取得する。施設提示装置１００は、施設提示装置１００が取得した施設毎に対応する利用可能施設情報を並べた利用可能施設一覧情報を取得する。施設提示装置１００は、施設提示装置１００が取得した利用可能施設一覧情報を、ユーザ端末１０にネットワーク７０を介して出力する。
ここで、施設とは、宿泊施設、飲食店、又はシェアオフィス等である。
施設提示装置１００の詳細については後述する。
【００１５】
記憶装置２０は、施設提示装置１００が利用可能な施設を検索する際に必要な情報、及び、施設提示装置１００が利用可能施設一覧情報を取得する際に必要な情報等を記憶する記憶手段である。
【００１６】
施設提示装置１００の要部の構成について説明する。
施設提示装置１００は、出発地取得部１１０、利用可能施設取得部１２０、誘導基本取得部１３０、優先度決定部１４０、利用可能施設一覧取得部１９０、及び利用可能施設一覧出力部１９９を備える。
【００１７】
施設提示装置１００は、上述の構成に加えて、移動手段取得部１３１、移動料金取得部１５０、合計金額取得部１５１、移動時間取得部１６０、移動補正料金取得部１７０、合計補正金額取得部１７１、希望利用期間取得部１８０、希望条件取得部１８１、予約申請取得部１８２、及び予約手続部１８３を備えるものであってもよい。
以下、施設提示装置１００は、出発地取得部１１０、利用可能施設取得部１２０、誘導基本取得部１３０、優先度決定部１４０、利用可能施設一覧取得部１９０、利用可能施設一覧出力部１９９、移動手段取得部１３１、移動料金取得部１５０、合計金額取得部１５１、移動時間取得部１６０、移動補正料金取得部１７０、合計補正金額取得部１７１、希望利用期間取得部１８０、希望条件取得部１８１、予約申請取得部１８２、及び予約手続部１８３を備えるものとして説明する。
【００１８】
出発地取得部１１０は、出発地を示す出発地情報を取得する。
具体的には、例えば、出発地取得部１１０は、ネットワーク７０を介して、ユーザ端末１０から出発地情報を取得する。
ユーザ端末１０が、ＧＰＳ（Ｇｌｏｂａｌ  Ｐｏｓｉｔｉｏｎｉｎｇ  Ｓｙｓｔｅｍ）、若しくはＱＺＳＳ（Ｑｕａｓｉ-Ｚｅｎｉｔｈ  Ｓａｔｅｌｌｉｔｅ  Ｓｙｓｔｅｍ）等のＧＮＳＳ（Ｇｌｏｂａｌ  Ｎａｖｉｇａｔｉｏｎ  Ｓａｔｅｌｌｉｔｅ  Ｓｙｓｔｅｍ）、又はＩＰ（Ｉｎｔｅｒｎｅｔ  Ｐｒｏｔｏｃｏｌ）アドレス等により、ユーザ端末１０の現在地を示す現在地情報を取得するものである場合、例えば、ユーザ端末１０は、ユーザ端末１０が取得する現在地情報を出力する。出発地取得部１１０は、ユーザ端末１０が出力する現在地情報を出発地情報として取得する。
ユーザ端末１０は、ユーザが操作受付部を介して出発地を指定する操作入力を行うことにより、当該出発地を示す出発地情報を取得し、取得した出発地情報を出力するものであってもよい。この場合、出発地取得部１１０は、ユーザ端末１０が出力する出発地情報を取得する。
【００１９】
利用可能施設取得部１２０は、出発地取得部１１０が取得する出発地情報に基づいて、利用可能な施設を検索する。利用可能施設取得部１２０は、検索結果として得られた１以上の利用可能な施設を示す施設毎の利用可能施設情報を取得する。具体的には、利用可能施設取得部１２０は、利用可能施設情報に対応する施設の名称を示す施設名称情報を含む利用可能施設情報を取得する。
すなわち、利用可能施設取得部１２０が取得する利用可能施設情報は、少なくとも、利用可能施設情報に対応する施設の名称を示す施設名称情報を含むものである。
【００２０】
利用可能施設取得部１２０が取得する１以上の利用可能施設情報のそれぞれは、施設名称情報に加えて、利用可能施設情報に対応する施設の所在地を示す所在地情報を含むものであってもよい。
また、利用可能施設取得部１２０が取得する１以上の利用可能施設情報のそれぞれは、施設名称情報に加えて、利用可能施設情報に対応する施設の利用料金（以下、「施設の利用料金」のことを、単に、「利用料金」ともいう。）を示す利用料金情報を含むものであってもよい。
以下、利用可能施設取得部１２０が取得する１以上の利用可能施設情報のそれぞれは、施設名称情報に加えて、利用可能施設情報に対応する施設の所在地を示す所在地情報と、利用可能施設情報に対応する施設の利用料金を示す利用料金情報とを含むものとして説明する。
【００２１】
例えば、利用可能施設取得部１２０は、出発地取得部１１０が取得する出発地情報に基づいて、出発地情報が示す出発地の周囲にある施設が利用可能な施設であるものとして検索する。
ここで、出発地の周囲にある施設とは、例えば、出発地からの距離が１０ｋｍ（キロメートル）以内の領域に所在する施設等の出発地に基づいて決定される領域内に所在する施設である。出発地の周囲にある施設は、出発地に基づいて決定される領域内に所在する施設に限定されるものではない。例えば、出発地の周囲にある施設は、鉄道又は路線バス等の公共の移動手段を利用した場合に出発地から３０分間以内に到着可能な施設等の出発地から所定時間以内に到着可能な施設であってもよい。
【００２２】
より具体的には、例えば、利用可能施設取得部１２０は、記憶装置２０に予め記憶された施設データベースを記憶装置２０から読み出すことにより、施設データベースを取得する。施設データベースには、施設を示す施設情報が施設毎に登録されている。施設情報には、施設の名称を示す施設名称情報、施設の所在地を示す所在地情報、及び、施設の利用料金を示す利用料金情報等が含まれている。利用可能施設取得部１２０は、施設データベースを検索するためのデータベースエンジンを備え、利用可能施設取得部１２０は、利用可能施設取得部１２０が備えるデータベースエンジンを用いて、施設データベースを検索することにより、データベースエンジンが検索結果として得た１以上の利用可能な施設のそれぞれを示す施設情報を、施設データベースから利用可能施設情報として取得する。
【００２３】
誘導基本取得部１３０は、施設提示装置１００を運用する事業者（以下、単に「事業者」という。）が誘導したい施設に関する誘導基本情報を取得する。
ここで、誘導基本情報とは、施設データベースに登録されている利用可能施設情報が示す施設毎の混雑状況を示す施設混雑情報、当該施設毎の施設周辺における混雑状況を示す周辺混雑情報、当該施設毎の施設周辺において開催されているイベントであって事業者が誘導したいイベントを示すイベント情報、当該施設毎の施設周辺にある商店であって事業者が誘導したい商店を示す商店情報、又は、鉄道又は路線バス等の公共の移動手段の混雑状況を示す移動手段混雑情報等である。
【００２４】
優先度決定部１４０は、誘導基本取得部１３０が取得する誘導基本情報に基づいて、事業者が誘導したい施設の優先度を決定する。
優先度決定部１４０は、施設データベースに登録されている施設情報が示す施設のそれぞれについて施設の優先度を決定するものであっても、利用可能施設取得部１２０が取得する１以上の利用可能施設情報が示す施設のそれぞれについて施設の優先度を決定するものであってもよい。
例えば、誘導基本情報が施設混雑情報である場合、優先度決定部１４０は、施設混雑情報が示す施設毎の混雑状況に基づいて、混雑している施設の優先度と比較して、混雑していない施設の優先度が高くなるように、事業者が誘導したい施設の優先度を決定する。
また、例えば、誘導基本情報が周辺混雑情報である場合、優先度決定部１４０は、周辺混雑情報が示す施設毎の施設周辺における混雑状況に基づいて、施設周辺が混雑している施設の優先度と比較して、施設周辺が混雑していない施設の優先度が高くなるように、事業者が誘導したい施設の優先度を決定する。
【００２５】
また、例えば、誘導基本情報がイベント情報である場合、優先度決定部１４０は、イベント情報に基づいて、事業者が誘導したいイベントが施設周辺において開催されている施設の優先度が他の施設の優先度と比較して相対的に高くなるように、事業者が誘導したい施設の優先度を決定する。
また、例えば、誘導基本情報が商店情報である場合、優先度決定部１４０は、商店情報に基づいて、事業者が誘導したい商店が施設周辺にある施設の優先度が他の施設の優先度と比較して相対的に高くなるように、事業者が誘導したい施設の優先度を決定する。
誘導基本情報が移動手段混雑情報である場合において、優先度決定部１４０が優先度を決定する具体例については後述する。
【００２６】
利用可能施設一覧取得部１９０は、優先度決定部１４０が決定した優先度に基づいて、利用可能施設取得部１２０が取得する１以上の利用可能施設情報を並べた利用可能施設一覧情報を取得する。
具体的には、例えば、利用可能施設一覧取得部１９０は、優先度に基づいて、ユーザ端末１０が備える表示部に、利用可能施設取得部１２０が取得する１以上の利用可能施設情報が、施設の優先度が高い順に上位に表示されるように、利用可能施設一覧情報を生成することにより利用可能施設一覧情報を取得する。
【００２７】
利用可能施設一覧出力部１９９は、利用可能施設一覧取得部１９０が取得する利用可能施設一覧情報を出力する。
具体的には、例えば、利用可能施設一覧出力部１９９は、利用可能施設一覧情報を、ユーザ端末１０にネットワーク７０を介して出力する。
ユーザ端末１０は、ネットワーク７０を介して利用可能施設一覧出力部１９９が出力する利用可能施設一覧情報を取得して、取得した利用可能施設一覧情報に基づく表示出力を表示部に行う。
【００２８】
ユーザは、ユーザ端末１０における利用可能施設一覧情報に基づく表示出力に基づいて、利用する施設を決定する。
以上のように構成することにより、施設提示装置１００は、ユーザ端末１０が備える表示部に、事業者が誘導したい施設を示す利用可能施設情報を上位に表示出力させることができる。そのため、施設提示装置１００は、ユーザが、事業者がユーザに利用させたい施設を利用する確率を上げることができる。結果として、施設提示装置１００は、事業者がユーザに利用させたい施設を、ユーザが利用するように誘導することができる。
【００２９】
誘導基本情報が移動手段混雑情報である場合において、優先度決定部１４０が優先度を決定する具体例について説明する。
誘導基本情報が移動手段混雑情報である場合、例えば、施設提示装置１００は、移動手段取得部１３１を備える。
移動手段取得部１３１は、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地まで移動するための移動手段を示す移動手段情報を取得する。
移動手段取得部１３１は、施設データベースに登録されている施設情報のそれぞれが示す施設毎に、出発地情報と、施設情報に含まれる所在地情報とに基づいて、移動手段情報を取得するものであってもよい。
【００３０】
誘導基本情報が移動手段混雑情報である場合、優先度決定部１４０は、誘導基本取得部１３０が取得する誘導基本情報である移動手段混雑情報に加えて、移動手段取得部１３１が取得する移動手段情報に基づいて、事業者が誘導したい施設の優先度を決定する。
具体的には、例えば、優先度決定部１４０は、移動手段混雑情報と移動手段情報とに基づいて、出発地情報が示す出発地から所在地情報が示す所在地まで移動する際の移動手段が混雑している施設の優先度と比較して、当該移動手段が混雑していない施設の優先度が高くなるように、事業者が誘導したい施設の優先度を決定する。
【００３１】
施設提示装置１００は、上述のとおり、移動料金取得部１５０を備えるものであってもよい。
移動料金取得部１５０は、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動料金を示す移動料金情報を取得する。
ここで、移動料金情報が示す移動料金とは、例えば、鉄道又は路線バス等の公共の移動手段を用いて、出発地から所在地まで移動する際に要する運賃である。
移動料金取得部１５０は、施設データベースに登録されている施設情報のそれぞれが示す施設毎に、出発地情報と、施設情報に含まれる所在地情報とに基づいて、出発地情報が示す出発地から所在地情報が示す所在地までの移動に掛かる移動料金を示す移動料金情報を取得するものであってもよい。
【００３２】
施設提示装置１００が移動料金取得部１５０を備える場合、例えば、優先度決定部１４０は、誘導基本取得部１３０が取得する誘導基本情報に加えて、移動料金取得部１５０が取得する移動料金情報に基づいて、事業者が誘導したい施設の優先度を決定するものであってもよい。
具体的には、例えば、優先度決定部１４０は、まず、移動料金情報に基づいて、移動料金情報が示す移動料金の金額が高い施設の優先度と比較して、当該金額が低い施設の優先度が高くなるように、事業者が誘導したい施設の優先度を決定する。次に、優先度決定部１４０は、当該金額が同額である施設が複数存在する場合、例えば、当該金額が同額である複数の施設については、誘導基本情報に基づいて、事業者が誘導したい施設の優先度を決定する。
【００３３】
また、優先度決定部１４０は、まず、誘導基本情報に基づいて、事業者が誘導したい施設の優先度を決定し、次に、当該優先度同士が同等な施設、又は、当該優先度同士の差が予め定められた範囲内の施設が複数存在する場合、複数の当該施設については、移動料金情報が示す移動料金の金額が高い施設の優先度と比較して、当該金額が低い施設の優先度が高くなるように、事業者が誘導したい施設の優先度を決定するものであってもよい。
【００３４】
以上のように構成することにより、施設提示装置１００は、出発地から所在地までの移動に掛かる移動料金を考慮しつつ、ユーザ端末１０が備える表示部に、事業者が誘導したい施設を示す利用可能施設情報を上位に表示出力させることができる。そのため、施設提示装置１００は、ユーザが、事業者がユーザに利用させたい施設を利用する確率を上げることができる。結果として、施設提示装置１００は、事業者がユーザに利用させたい施設を、ユーザが利用するように誘導することができる。
【００３５】
施設提示装置１００が移動料金取得部１５０を備える場合、例えば、利用可能施設一覧取得部１９０は、利用可能施設一覧情報を取得する際に、移動料金取得部１５０が取得する移動料金情報を利用可能施設情報に対応付けて並べた利用可能施設一覧情報を取得するものであってもよい。
【００３６】
以上のように構成することにより、施設提示装置１００は、出発地から所在地までの移動に掛かる移動料金を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、移動料金情報を利用可能施設情報に対応付けて表示出力させることができる。そのため、施設提示装置１００は、ユーザに、施設に移動するまでに掛かる移動料金を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００３７】
施設提示装置１００は、上述のとおり、移動料金取得部１５０及び合計金額取得部１５１を備えるものであってもよい。
移動料金取得部１５０については上述したため説明を省略する。
合計金額取得部１５１は、移動料金取得部１５０が取得する移動料金情報が示す移動料金と、利用可能施設情報に含まれる利用料金情報が示す利用料金との合計金額を算出し、算出した合計金額を示す合計金額情報を取得する。
移動料金取得部１５０が、施設データベースに登録されている施設情報のそれぞれが示す施設毎に、出発地情報が示す出発地から所在地情報が示す所在地までの移動に掛かる移動料金を示す移動料金情報を取得するものである場合、合計金額取得部１５１は、移動料金取得部１５０が取得する移動料金情報が示す移動料金と、施設データベースに登録されている施設情報のそれぞれが示す施設毎に、施設情報に含まれる利用料金情報が示す利用料金との合計金額を算出し、算出した合計金額を示す合計金額情報を取得するものであってもよい。
【００３８】
施設提示装置１００が移動料金取得部１５０及び合計金額取得部１５１を備える場合、例えば、優先度決定部１４０は、誘導基本取得部１３０が取得する誘導基本情報に加えて、合計金額取得部１５１が取得する合計金額情報に基づいて、事業者が誘導したい施設の優先度を決定するものであってもよい。
具体的には、例えば、優先度決定部１４０は、まず、合計金額情報に基づいて、合計金額情報が示す合計金額が高い施設の優先度と比較して、当該合計金額が低い施設の優先度が高くなるように、事業者が誘導したい施設の優先度を決定する。次に、優先度決定部１４０は、当該合計金額が同額である施設が複数存在する場合、例えば、当該合計金額が同額である複数の施設については、誘導基本情報に基づいて、事業者が誘導したい施設の優先度を決定する。
【００３９】
また、優先度決定部１４０は、まず、誘導基本情報に基づいて、事業者が誘導したい施設の優先度を決定し、次に、当該優先度同士が同等な施設、又は、当該優先度同士の差が予め定められた範囲内の施設が複数存在する場合、複数の当該施設については、合計金額情報が示す合計金額が高い施設の優先度と比較して、当該合計金額が低い施設の優先度が高くなるように、事業者が誘導したい施設の優先度を決定するものであってもよい。
【００４０】
以上のように構成することにより、施設提示装置１００は、合計金額情報が示す合計金額を考慮しつつ、ユーザ端末１０が備える表示部に、事業者が誘導したい施設を示す利用可能施設情報を上位に表示出力させることができる。そのため、施設提示装置１００は、ユーザが、事業者がユーザに利用させたい施設を利用する確率を上げることができる。結果として、施設提示装置１００は、事業者がユーザに利用させたい施設を、ユーザが利用するように誘導することができる。
【００４１】
施設提示装置１００が移動料金取得部１５０及び合計金額取得部１５１を備える場合、例えば、利用可能施設一覧取得部１９０は、利用可能施設一覧情報を取得する際に、合計金額取得部１５１が取得する合計金額情報を利用可能施設情報に対応付けて並べた利用可能施設一覧情報を取得するものであってもよい。
【００４２】
以上のように構成することにより、施設提示装置１００は、合計金額情報が示す合計金額を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、合計金額情報を利用可能施設情報に対応付けて表示出力させることができる。そのため、施設提示装置１００は、ユーザに、施設を利用する際に掛かる合計金額を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００４３】
施設提示装置１００は、上述のとおり、移動時間取得部１６０を備えるものであってもよい。
移動時間取得部１６０は、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動時間を示す移動時間情報を取得する。
ここで、移動時間情報が示す移動時間とは、例えば、鉄道又は路線バス等の公共の移動手段を用いて、出発地を出発してから所在地に到着するまでに要する期間である。
移動時間取得部１６０は、施設データベースに登録されている施設情報のそれぞれが示す施設毎に、出発地情報と、施設情報に含まれる所在地情報とに基づいて、出発地情報が示す出発地から所在地情報が示す所在地までの移動に掛かる移動時間を示す移動時間情報を取得するものであってもよい。
【００４４】
施設提示装置１００が移動時間取得部１６０を備える場合、例えば、優先度決定部１４０は、誘導基本取得部１３０が取得する誘導基本情報に加えて、移動時間取得部１６０が取得する移動時間情報に基づいて、事業者が誘導したい施設の優先度を決定するものであってもよい。
具体的には、例えば、優先度決定部１４０は、まず、移動時間情報に基づいて、移動時間情報が示す移動時間が長い施設の優先度と比較して、当該移動時間が短い施設の優先度が高くなるように、事業者が誘導したい施設の優先度を決定する。次に、優先度決定部１４０は、当該移動時間が同等である施設が複数存在する場合、例えば、当該移動時間が同等である複数の施設については、誘導基本情報に基づいて、事業者が誘導したい施設の優先度を決定する。
【００４５】
また、優先度決定部１４０は、まず、誘導基本情報に基づいて、事業者が誘導したい施設の優先度を決定し、次に、当該優先度同士が同等な施設、又は、当該優先度同士の差が予め定められた範囲内の施設が複数存在する場合、複数の当該施設については、移動時間情報が示す移動時間が長い施設の優先度と比較して、当該移動時間が短い施設の優先度が高くなるように、事業者が誘導したい施設の優先度を決定するものであってもよい。
【００４６】
以上のように構成することにより、施設提示装置１００は、出発地から所在地までの移動に掛かる移動時間を考慮しつつ、ユーザ端末１０が備える表示部に、事業者が誘導したい施設を示す利用可能施設情報を上位に表示出力させることができる。そのため、施設提示装置１００は、ユーザが、事業者がユーザに利用させたい施設を利用する確率を上げることができる。結果として、施設提示装置１００は、事業者がユーザに利用させたい施設を、ユーザが利用するように誘導することができる。
【００４７】
施設提示装置１００が移動時間取得部１６０を備える場合、例えば、利用可能施設一覧取得部１９０は、利用可能施設一覧情報を取得する際に、移動時間取得部１６０が取得する移動時間情報を利用可能施設情報に対応付けて並べた利用可能施設一覧情報を取得するものであってもよい。
【００４８】
以上のように構成することにより、施設提示装置１００は、出発地から所在地までの移動に掛かる移動時間を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、移動時間情報を利用可能施設情報に対応付けて表示出力させることができる。そのため、施設提示装置１００は、ユーザに、施設に移動する際に掛かる移動時間を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００４９】
施設提示装置１００は、上述のとおり、移動料金取得部１５０及び移動補正料金取得部１７０を備えるものであってもよい。
移動料金取得部１５０については上述したため説明を省略する。
移動補正料金取得部１７０は、優先度決定部１４０が決定する優先度に基づいて、移動料金取得部１５０が取得する移動料金情報が示す移動料金を補正して、補正後の移動料金である移動補正料金を示す移動補正料金情報を取得する。
具体的には、例えば、移動補正料金取得部１７０は、優先度決定部１４０が決定した優先度において、事業者がユーザに利用させたい施設の優先度が、他の施設の優先度と比較して低い場合、事業者がユーザに利用させたい施設に対応する移動料金情報が示す移動料金が安くなるように当該移動料金を補正して、補正後の移動料金である移動補正料金を示す移動補正料金情報を取得する。
【００５０】
施設提示装置１００が移動補正料金取得部１７０を備える場合、例えば、利用可能施設一覧取得部１９０は、利用可能施設一覧情報を取得する際に、移動補正料金取得部１７０が取得する移動補正料金情報を利用可能施設情報に対応付けて並べた利用可能施設一覧情報を取得する。
【００５１】
以上のように構成することにより、事業者がユーザに利用させたい施設は、当該施設の優先度より優先度が高い他の施設に対して価格競争力が上昇する。
また、以上のように構成することにより、施設提示装置１００は、出発地から所在地までの移動に掛かる補正後の移動料金を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、移動補正料金情報を利用可能施設情報に対応付けて表示出力させることができる。そのため、施設提示装置１００は、ユーザに、施設に移動する際に掛かる補正後の移動料金を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００５２】
施設提示装置１００が移動補正料金取得部１７０を備える場合、例えば、優先度決定部１４０は、優先度決定部１４０が既に決定した優先度を、移動補正料金取得部１７０が移動補正料金情報を取得した後に、誘導基本取得部１３０が取得する誘導基本情報と、移動補正料金取得部１７０が取得する移動補正料金情報とに基づいて決定し直してもよい。
優先度決定部１４０が、誘導基本取得部１３０が取得する誘導基本情報と、移動補正料金取得部１７０が取得する移動補正料金情報とに基づいて優先度を決定し直す方法は、優先度決定部１４０が、誘導基本情報と移動料金取得部１５０が取得する移動料金情報とに基づいて優先度を決定する方法と同様の方法であればよいため、詳細な説明を省略する。
優先度決定部１４０が、誘導基本情報と移動補正料金情報に基づいて優先度を決定し直す場合、例えば、利用可能施設一覧取得部１９０は、優先度決定部１４０が決定し直した優先度に基づいて、利用可能施設取得部１２０が取得する１以上の利用可能施設情報を並べた利用可能施設一覧情報を取得する。
【００５３】
以上のように構成することにより、施設提示装置１００は、出発地から所在地までの移動に掛かる移動料金を補正した移動補正料金を考慮しつつ、ユーザ端末１０が備える表示部に、事業者が誘導したい施設を示す利用可能施設情報を上位に表示出力させることができる。そのため、施設提示装置１００は、ユーザに、施設に移動する際に掛かる補正後の移動料金を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００５４】
移動補正料金取得部１７０が移動料金を補正する際に用いる情報は、優先度決定部１４０が決定する優先度だけに限定されるものではない。
具体的には、例えば、施設提示装置１００が移動料金取得部１５０、移動時間取得部１６０、及び移動補正料金取得部１７０を備える場合、移動補正料金取得部１７０は、優先度決定部１４０が決定する優先度と、移動時間取得部１６０が取得する移動時間情報とに基づいて、移動料金取得部１５０が取得する移動料金情報が示す移動料金を補正して、補正後の移動料金である移動補正料金を示す移動補正料金情報を取得するものであってもよい。
移動料金取得部１５０及び移動時間取得部１６０については上述したため説明を省略する。
【００５５】
例えば、ユーザが、互いに移動料金が等しい２つの施設を比較する場合、ユーザは、２つの当該施設のうち、出発地を出発してから施設に到着するまでの移動に掛かる移動時間が短い施設を利用することを決定することがある。仮に、事業者がユーザに利用させたい施設が、互いに移動料金が等しい２つの施設のうちの当該移動時間が長い方の施設である場合、当該施設をユーザが利用するように誘導することができない場合がある。
【００５６】
例えば、移動補正料金取得部１７０は、優先度決定部１４０が決定する優先度と、移動時間取得部１６０が取得する移動時間情報とに基づいて、互いに移動料金が等しい２つの施設のうちの事業者がユーザに利用させたい施設について、１０分間を１００円に換算する等の予め定められた計算方法により、移動時間情報が示す移動時間を金額に換算する。さらに、移動補正料金取得部１７０は、移動料金取得部１５０が取得する移動料金情報が示す移動料金から当該金額を減算することにより当該移動料金を補正して、補正後の移動料金である移動補正料金を示す移動補正料金情報を取得する。
【００５７】
以上のように構成することにより、事業者がユーザに利用させたい施設は、当該施設より施設まで移動する際に掛かる移動時間が短い他の施設に対して価格競争力が上昇する。
また、以上のように構成することにより、施設提示装置１００は、出発地から所在地までの移動に掛かる補正後の移動料金を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、移動補正料金情報を利用可能施設情報に対応付けて表示出力させることができる。そのため、施設提示装置１００は、ユーザに、施設に移動する際に掛かる補正後の移動料金を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００５８】
施設提示装置１００は、上述のとおり、移動料金取得部１５０、移動補正料金取得部１７０、及び合計補正金額取得部１７１を備えるものであってもよい。
移動料金取得部１５０及び移動補正料金取得部１７０については上述したため説明を省略する。
なお、施設提示装置１００は、上述のとおり、移動料金取得部１５０、移動時間取得部１６０、移動補正料金取得部１７０、及び合計補正金額取得部１７１を備える場合、移動補正料金取得部１７０は、優先度決定部１４０が決定する優先度と、移動時間取得部１６０が取得する移動時間情報とに基づいて、移動料金取得部１５０が取得する移動料金情報が示す移動料金を補正して、補正後の移動料金である移動補正料金を示す移動補正料金情報を取得するものであってもよい。
合計補正金額取得部１７１は、移動補正料金取得部１７０が取得する移動補正料金情報が示す移動補正料金と、利用可能施設情報に含まれる利用料金情報が示す利用料金との合計金額である合計補正金額を算出し、算出した合計補正金額を示す合計補正金額情報を取得する。
【００５９】
施設提示装置１００が合計補正金額取得部１７１を備える場合、例えば、利用可能施設一覧取得部１９０は、利用可能施設一覧情報を取得する際に、合計補正金額取得部１７１が取得する合計補正金額情報を利用可能施設情報に対応付けて並べた利用可能施設一覧情報を取得する。
【００６０】
以上のように構成することにより、事業者がユーザに利用させたい施設は、当該施設の優先度より優先度が高い他の施設に対して価格競争力が上昇する。
また、以上のように構成することにより、施設提示装置１００は、施設を利用する際に掛かる補正後の合計金額を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、合計補正金額情報を利用可能施設情報に対応付けて表示出力させることができる。そのため、施設提示装置１００は、ユーザに、施設を利用する際に掛かる補正後の合計金額を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００６１】
施設提示装置１００が合計補正金額取得部１７１を備える場合、例えば、優先度決定部１４０は、優先度決定部１４０が既に決定した優先度を、合計補正金額取得部１７１が合計補正金額情報を取得した後に、誘導基本取得部１３０が取得する誘導基本情報と、合計補正金額取得部１７１が取得する合計補正金額情報とに基づいて決定し直してもよい。
優先度決定部１４０が、誘導基本取得部１３０が取得する誘導基本情報と、合計補正金額取得部１７１が取得する合計補正金額情報とに基づいて優先度を決定し直す方法は、優先度決定部１４０が、誘導基本情報と合計金額取得部１５１が取得する合計金額情報とに基づいて優先度を決定する方法と同様の方法であればよいため、詳細な説明を省略する。
優先度決定部１４０が、誘導基本情報と合計補正金額情報に基づいて優先度を決定し直す場合、例えば、利用可能施設一覧取得部１９０は、優先度決定部１４０が決定し直した優先度に基づいて、利用可能施設取得部１２０が取得する１以上の利用可能施設情報を並べた利用可能施設一覧情報を取得する。
【００６２】
以上のように構成することにより、施設提示装置１００は、出発地から所在地までの移動に掛かる移動料金を補正した移動補正料金と施設の利用料金とを合計した合計補正金額を考慮しつつ、ユーザ端末１０が備える表示部に、事業者が誘導したい施設を示す利用可能施設情報を上位に表示出力させることができる。そのため、施設提示装置１００は、ユーザに、施設を利用する際に掛かる補正後の合計金額を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００６３】
なお、合計補正金額取得部１７１が、合計補正金額情報が示す合計補正金額を算出する方法は、移動補正料金取得部１７０が取得する移動補正料金情報が示す移動補正料金と、利用可能施設情報に含まれる利用料金情報が示す利用料金との合計金額により合計補正金額を算出する方法に限定されるものではない。
具体的には、例えば、施設提示装置１００が移動料金取得部１５０、合計金額取得部１５１、及び合計補正金額取得部１７１を備える場合、合計補正金額取得部１７１は、優先度決定部１４０が決定する優先度に基づいて、合計金額取得部１５１が取得する合計金額情報が示す合計金額を補正して、補正後の合計金額である合計補正金額を示す合計補正金額情報を取得するものであってもよい。
より具体的には、例えば、合計補正金額取得部１７１は、当該場合、優先度決定部１４０が決定した優先度において、事業者がユーザに利用させたい施設の優先度が、他の施設の優先度と比較して低い場合、事業者がユーザに利用させたい施設に対応する合計金額情報が示す合計金額が低くなるように当該合計金額を補正して、補正後の合計金額である合計補正金額を示す合計補正金額情報を取得する。
【００６４】
また、合計補正金額取得部１７１は、施設提示装置１００が移動料金取得部１５０、合計金額取得部１５１、移動時間取得部１６０、及び合計補正金額取得部１７１を備える場合、優先度決定部１４０が決定する優先度と、移動時間取得部１６０が取得する移動時間情報とに基づいて、合計金額取得部１５１が取得する合計金額情報が示す合計金額を補正して、補正後の合計金額である合計補正金額を示す合計補正金額情報を取得するものであってもよい。
具体的には、例えば、合計補正金額取得部１７１は、互いに合計金額が等しい２つの施設のうちの事業者がユーザに利用させたい施設について、優先度決定部１４０が決定する優先度と、移動時間取得部１６０が取得する移動時間情報とに基づいて、１０分間を１００円に換算する等の予め定められた計算方法により、移動時間情報が示す移動時間を金額に換算する。さらに、合計補正金額取得部１７１は、合計金額取得部１５１が取得する合計金額情報が示す合計金額から当該金額を減算することにより当該合計金額を補正して、補正後の合計金額である合計補正金額を示す合計補正金額情報を取得する。
【００６５】
以上のように構成することにより、事業者がユーザに利用させたい施設は、当該施設より施設まで移動する際に掛かる移動時間が短い他の施設に対して価格競争力が上昇する。
また、以上のように構成することにより、施設提示装置１００は、施設を利用する際に掛かる補正後の合計金額を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、合計補正金額情報を利用可能施設情報に対応付けて表示出力させることができる。そのため、施設提示装置１００は、ユーザに、施設を利用する際に掛かる補正後の合計金額を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００６６】
施設提示装置１００は、上述のとおり、希望利用期間取得部１８０を備えるものであってもよい。
希望利用期間取得部１８０は、施設の希望利用期間を示す希望利用期間情報を取得する。
具体的には、例えば、希望利用期間取得部１８０は、ネットワーク７０を介して、ユーザ端末１０から希望利用期間情報を取得する。ユーザ端末１０は、ユーザが操作受付部を介して施設の希望利用期間を指定する操作入力を行うことにより、当該希望利用期間を示す希望利用期間情報を取得し、取得した希望利用期間情報を出力する。
施設提示装置１００が希望利用期間取得部１８０を備える場合、利用可能施設取得部１２０は、出発地情報に加えて、希望利用期間取得部１８０が取得する希望利用期間情報に基づいて、利用可能な施設を検索する。
また、施設提示装置１００が希望利用期間取得部１８０を備える場合、誘導基本取得部１３０は、希望利用期間取得部１８０が取得する希望利用期間情報が示す施設の希望利用期間に対応する誘導基本情報を取得する。
【００６７】
希望利用期間に対応する誘導基本情報とは、例えば、施設データベースに登録されている利用可能施設情報が示す施設毎の希望利用期間において推定される混雑状況を示す施設混雑情報である。また、例えば、当該誘導基本情報とは、当該施設毎の施設周辺において希望利用期間に開催されるイベントであって事業者が誘導したいイベントを示すイベント情報である。また、例えば、当該誘導基本情報とは、鉄道又は路線バス等の公共の移動手段の希望利用期間の前後の期間において推定される混雑状況を示す移動手段混雑情報である。
【００６８】
以上のように構成することにより、施設提示装置１００は、希望利用期間において事業者がユーザに利用させたい施設を、ユーザが利用するように誘導することができる。
【００６９】
施設提示装置１００は、上述のとおり、希望条件取得部１８１を備えるものであってもよい。
希望条件取得部１８１は、施設に備えられている希望設備、又は、施設が提供している希望サービスを示す希望条件情報を取得する。
具体的には、例えば、希望条件取得部１８１は、ネットワーク７０を介して、ユーザ端末１０から希望条件情報を取得する。ユーザ端末１０は、ユーザが操作受付部を介して施設の希望条件を指定する操作入力を行うことにより、当該希望条件を示す希望条件情報を取得し、取得した希望条件情報を出力する。
施設提示装置１００が希望条件取得部１８１を備える場合、利用可能施設取得部１２０は、出発地情報に加えて、希望条件取得部１８１が取得する希望条件情報に基づいて、利用可能な施設を検索する。
【００７０】
以上のように構成することにより、施設提示装置１００は、希望設備を備える施設、又は、希望サービスを提供している施設のうち、事業者がユーザに利用させたい施設を、ユーザが利用するように誘導することができる。
【００７１】
なお、施設提示装置１００は、希望利用期間取得部１８０及び希望条件取得部１８１を備えるものであってもよい。施設提示装置１００が希望利用期間取得部１８０及び希望条件取得部１８１を備える場合、例えば、利用可能施設取得部１２０は、出発地情報、希望利用期間情報、及び希望条件情報に基づいて、利用可能な施設を検索する。
【００７２】
施設提示装置１００は、上述のとおり、予約申請取得部１８２及び予約手続部１８３を備えるものであってもよい。
予約申請取得部１８２は、利用可能施設取得部１２０が取得する１以上の利用可能施設情報のうちの選択された利用可能施設情報に対応する施設を利用するための予約申請を示す予約申請情報を取得する。
具体的には、例えば、予約申請取得部１８２は、ネットワーク７０を介して、ユーザ端末１０から予約申請情報を取得する。ユーザ端末１０は、ユーザが操作受付部を介して施設の予約申請を指定する操作入力を行うことにより、当該予約申請を示す予約申請情報を取得し、取得した予約申請情報を出力する。
【００７３】
予約手続部１８３は、予約申請取得部１８２が取得する予約申請情報に基づいて、当該施設を利用するための予約手続処理を行う。
具体的には、例えば、予約手続部１８３は、予約申請情報に基づいて、施設の予約処理と、施設を利用するために必要な利用料金の決済処理とを行う。予約手続部１８３は、施設を利用するために必要な利用料金の決済処理に加えて、出発地から施設に移動するために必要な移動料金の決済処理を行うものであってもよい。
【００７４】
図２を参照して、実施の形態１に係る施設提示装置１００が備える利用可能施設一覧出力部１９９が出力する利用可能施設一覧情報に基づいて、ユーザ端末１０が表示部に出力する表示について説明する。
図２は、実施の形態１に係る施設提示装置１００が備える利用可能施設一覧出力部１９９が出力する利用可能施設一覧情報に基づいて、ユーザ端末１０が、ユーザ端末１０に備えられた表示部に出力する表示の一例を示す説明図である。
図２に示すように、ユーザ端末１０が表示部に出力する表示には、ユーザが施設の検索条件を指定する検索条件指定領域と、施設提示装置１００から取得した１以上の利用可能施設情報を並べた利用可能施設一覧情報を表示する利用可能施設表示領域とが存在する。
検索条件指定領域には、例えば、図２に示すように、出発地を示す情報、希望利用期間を示す情報、及び、希望利用条件を示す情報が表示される。
利用可能施設表示領域には、例えば、図２に示すように、１以上の利用可能施設情報のそれぞれに対応する移動料金情報、移動時間情報、及び合計金額情報のそれぞれが、対応する利用可能施設情報に対応付けられて表示される。
【００７５】
例えば、利用可能施設一覧情報に移動補正料金情報が含まれる場合、利用可能施設表示領域には、１以上の利用可能施設情報のそれぞれに対応する移動補正料金情報が、対応する利用可能施設情報に対応付けられて表示される。
また、例えば、利用可能施設一覧情報に合計補正料金情報が含まれる場合、利用可能施設表示領域には、１以上の利用可能施設情報のそれぞれに対応する合計補正料金情報が、対応する利用可能施設情報に対応付けられて表示される。
図２に示す表示は、あくまで一例であり、ユーザ端末１０が、ユーザ端末１０に備えられた表示部に出力する表示は、図２に示す表示に限定されるものではない。
【００７６】
図３Ａ及び図３Ｂを参照して、実施の形態１に係る施設提示装置１００の要部のハードウェア構成について説明する。
図３Ａ及び図３Ｂは、実施の形態１に係る施設提示装置１００の要部のハードウェア構成の一例を示す図である。
【００７７】
図３Ａに示す如く、施設提示装置１００はコンピュータにより構成されており、当該コンピュータは、プロセッサ３０１及びメモリ３０２を有している。
メモリ３０２には、当該コンピュータを、出発地取得部１１０、利用可能施設取得部１２０、誘導基本取得部１３０、優先度決定部１４０、利用可能施設一覧取得部１９０、利用可能施設一覧出力部１９９、移動手段取得部１３１、移動料金取得部１５０、合計金額取得部１５１、移動時間取得部１６０、移動補正料金取得部１７０、合計補正金額取得部１７１、希望利用期間取得部１８０、希望条件取得部１８１、予約申請取得部１８２、及び予約手続部１８３として機能させるためのプログラムが記憶されている。メモリ３０２に記憶されているプログラムをプロセッサ３０１が読み出して実行することにより、出発地取得部１１０、利用可能施設取得部１２０、誘導基本取得部１３０、優先度決定部１４０、利用可能施設一覧取得部１９０、利用可能施設一覧出力部１９９、移動手段取得部１３１、移動料金取得部１５０、合計金額取得部１５１、移動時間取得部１６０、移動補正料金取得部１７０、合計補正金額取得部１７１、希望利用期間取得部１８０、希望条件取得部１８１、予約申請取得部１８２、及び予約手続部１８３が実現される。
【００７８】
また、図３Ｂに示す如く、施設提示装置１００は処理回路３０３により構成されても良い。この場合、出発地取得部１１０、利用可能施設取得部１２０、誘導基本取得部１３０、優先度決定部１４０、利用可能施設一覧取得部１９０、利用可能施設一覧出力部１９９、移動手段取得部１３１、移動料金取得部１５０、合計金額取得部１５１、移動時間取得部１６０、移動補正料金取得部１７０、合計補正金額取得部１７１、希望利用期間取得部１８０、希望条件取得部１８１、予約申請取得部１８２、及び予約手続部１８３の機能が処理回路３０３により実現されても良い。
【００７９】
また、施設提示装置１００はプロセッサ３０１、メモリ３０２、及び処理回路３０３により構成されても良い（不図示）。この場合、出発地取得部１１０、利用可能施設取得部１２０、誘導基本取得部１３０、優先度決定部１４０、利用可能施設一覧取得部１９０、利用可能施設一覧出力部１９９、移動手段取得部１３１、移動料金取得部１５０、合計金額取得部１５１、移動時間取得部１６０、移動補正料金取得部１７０、合計補正金額取得部１７１、希望利用期間取得部１８０、希望条件取得部１８１、予約申請取得部１８２、及び予約手続部１８３の機能のうちの一部の機能がプロセッサ３０１及びメモリ３０２により実現されて、残余の機能が処理回路３０３により実現されるものであっても良い。
【００８０】
プロセッサ３０１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、マイクロプロセッサ、マイクロコントローラ、又はＤＳＰ（Ｄｉｇｉｔａｌ  Ｓｉｇｎａｌ  Ｐｒｏｃｅｓｓｏｒ）を用いたものである。
【００８１】
メモリ３０２は、例えば、半導体メモリ又は磁気ディスクを用いたものである。より具体的には、メモリ３０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＳＳＤ（Ｓｏｌｉｄ  Ｓｔａｔｅ  Ｄｒｉｖｅ）、又はＨＤＤ（Ｈａｒｄ  Ｄｉｓｋ  Ｄｒｉｖｅ）などを用いたものである。
【００８２】
処理回路３０３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、ＳｏＣ（Ｓｙｓｔｅｍ−ｏｎ−ａ−Ｃｈｉｐ）、又はシステムＬＳＩ（Ｌａｒｇｅ−Ｓｃａｌｅ  Ｉｎｔｅｇｒａｔｉｏｎ）を用いたものである。
【００８３】
図４を参照して、実施の形態１に係る施設提示装置１００の動作について説明する。
図４は、実施の形態１に係る施設提示装置１００の処理の一例を示すフローチャートである。施設提示装置１００は、当該フローチャートの処理を繰り返し実行する。
【００８４】
まず、ステップＳＴ４０１にて、出発地取得部１１０は、出発地情報を取得する。
次に、ステップＳＴ４０２にて、希望利用期間取得部１８０は、希望利用期間情報を取得する。
次に、ステップＳＴ４０３にて、希望条件取得部１８１は、希望条件情報を取得する。
次に、ステップＳＴ４０４にて、利用可能施設取得部１２０は、利用可能施設情報を取得する。
次に、ステップＳＴ４０５にて、誘導基本取得部１３０は、誘導基本情報を取得する。
次に、ステップＳＴ４０６にて、移動手段取得部１３１は、移動手段情報を取得する。
次に、ステップＳＴ４０７にて、優先度決定部１４０は、事業者が誘導したい施設の優先度を決定する。
次に、ステップＳＴ４０８にて、移動料金取得部１５０は、移動料金情報を取得する。
次に、ステップＳＴ４０９にて、合計金額取得部１５１は、合計金額情報を取得する。
次に、ステップＳＴ４１０にて、移動時間取得部１６０は、移動時間情報を取得する。
【００８５】
次に、ステップＳＴ４１１にて、移動補正料金取得部１７０は、移動補正料金情報を取得する。
次に、ステップＳＴ４１２にて、合計補正金額取得部１７１は、合計補正金額情報を取得する。
次に、ステップＳＴ４１３にて、利用可能施設一覧取得部１９０は、利用可能施設一覧情報を取得する。
次に、ステップＳＴ４１４にて、利用可能施設一覧出力部１９９は、利用可能施設一覧情報を出力する。
次に、ステップＳＴ４１５にて、予約申請取得部１８２は、予約申請情報を取得する。
次に、ステップＳＴ４１６にて、予約手続部１８３は、予約手続処理を行う。
ステップＳＴ４１６の後、施設提示装置１００は、当該フローチャートの処理を終了する。
【００８６】
以上のように、実施の形態１に係る施設提示装置１００は、出発地を示す出発地情報を取得する出発地取得部１１０と、出発地取得部１１０が取得する出発地情報に基づいて、利用可能な施設を検索し、検索結果として得られた１以上の利用可能な施設を示す施設毎の利用可能施設情報であって、利用可能施設情報に対応する施設の名称を示す施設名称情報を含む利用可能施設情報を取得する利用可能施設取得部１２０と、事業者が誘導したい施設に関する誘導基本情報を取得する誘導基本取得部１３０と、誘導基本取得部１３０が取得する誘導基本情報に基づいて、事業者が誘導したい施設の優先度を決定する優先度決定部１４０と、優先度決定部１４０が決定した優先度に基づいて、利用可能施設取得部１２０が取得する１以上の利用可能施設情報を並べた利用可能施設一覧情報を取得する利用可能施設一覧取得部１９０と、利用可能施設一覧取得部１９０が取得する利用可能施設一覧情報を出力する利用可能施設一覧出力部１９９と、を備えた。
【００８７】
このように構成することにより、施設提示装置１００は、事業者がユーザに利用させたい施設を、ユーザが利用するように誘導することができる。
【００８８】
また、実施の形態１に係る施設提示装置１００は、上述の構成に加えて、利用可能施設取得部１２０が取得する１以上の利用可能施設情報のそれぞれは、利用可能施設情報に対応する施設の所在地を示す所在地情報を含むものであって、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動料金を示す移動料金情報を取得する移動料金取得部１５０を備え、優先度決定部１４０は、誘導基本取得部１３０が取得する誘導基本情報に加えて、移動料金取得部１５０が取得する移動料金情報に基づいて、事業者が誘導したい施設の優先度を決定するように構成した。
【００８９】
このように構成することにより、施設提示装置１００は、出発地から所在地までの移動に掛かる移動料金を考慮しつつ、ユーザ端末１０が備える表示部に、事業者が誘導したい施設を示す利用可能施設情報を上位に表示出力させることができる。そのため、施設提示装置１００は、ユーザが、事業者がユーザに利用させたい施設を利用する確率を上げることができる。結果として、施設提示装置１００は、事業者がユーザに利用させたい施設を、ユーザが利用するように誘導することができる。
【００９０】
また、実施の形態１に係る施設提示装置１００は、上述の構成において、利用可能施設一覧取得部１９０は、利用可能施設一覧情報を取得する際に、移動料金取得部１５０が取得する移動料金情報を利用可能施設情報に対応付けて並べた利用可能施設一覧情報を取得するように構成した。
【００９１】
このように構成することにより、施設提示装置１００は、出発地から所在地までの移動に掛かる移動料金を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、移動料金情報を利用可能施設情報に対応付けて表示出力させることができる。そのため、施設提示装置１００は、ユーザに、施設に移動するまでに掛かる移動料金を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００９２】
また、実施の形態１に係る施設提示装置１００は、上述の構成に加えて、利用可能施設取得部１２０が取得する１以上の利用可能施設情報のそれぞれは、利用可能施設情報に対応する施設の所在地を示す所在地情報と、利用可能施設情報に対応する施設の利用料金を示す利用料金情報とを含むものであって、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動料金を示す移動料金情報を取得する移動料金取得部１５０と、移動料金取得部１５０が取得する移動料金情報が示す移動料金と、利用可能施設情報に含まれる利用料金情報が示す利用料金との合計金額を算出し、算出した合計金額を示す合計金額情報を取得する合計金額取得部１５１と、を備え、優先度決定部１４０は、誘導基本取得部１３０が取得する誘導基本情報に加えて、合計金額取得部１５１が取得する合計金額情報に基づいて、事業者が誘導したい施設の優先度を決定するように構成した。
【００９３】
このように構成することにより、施設提示装置１００は、合計金額情報が示す合計金額を考慮しつつ、ユーザ端末１０が備える表示部に、事業者が誘導したい施設を示す利用可能施設情報を上位に表示出力させることができる。そのため、施設提示装置１００は、ユーザが、事業者がユーザに利用させたい施設を利用する確率を上げることができる。結果として、施設提示装置１００は、事業者がユーザに利用させたい施設を、ユーザが利用するように誘導することができる。
【００９４】
また、実施の形態１に係る施設提示装置１００は、上述の構成において、利用可能施設一覧取得部１９０は、利用可能施設一覧情報を取得する際に、合計金額取得部１５１が取得する合計金額情報を利用可能施設情報に対応付けて並べた利用可能施設一覧情報を取得するように構成した。
【００９５】
このように構成することにより、施設提示装置１００は、合計金額情報が示す合計金額を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、合計金額情報を利用可能施設情報に対応付けて表示出力させることができる。そのため、施設提示装置１００は、ユーザに、施設を利用する際に掛かる合計金額を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【００９６】
また、実施の形態１に係る施設提示装置１００は、上述の構成に加えて、利用可能施設取得部１２０が取得する１以上の利用可能施設情報のそれぞれは、利用可能施設情報に対応する所在地を示す所在地情報を含むものであって、利用可能施設取得部１２０が取得する１以上の利用可能施設情報が示す利用可能な施設毎に、出発地取得部１１０が取得する出発地情報と、利用可能施設情報に含まれる所在地情報とに基づいて、出発地情報が示す出発地から所在地情報が示す所在地までの移動に掛かる移動時間を示す移動時間情報を取得する移動時間取得部１６０と、を備え、優先度決定部１４０は、誘導基本取得部１３０が取得する誘導基本情報に加えて、移動時間取得部１６０が取得する移動時間情報に基づいて、事業者が誘導したい施設の優先度を決定するように構成した。
【００９７】
このように構成することにより、施設提示装置１００は、出発地から所在地までの移動に掛かる移動時間を考慮しつつ、ユーザ端末１０が備える表示部に、事業者が誘導したい施設を示す利用可能施設情報を上位に表示出力させることができる。そのため、施設提示装置１００は、ユーザが、事業者がユーザに利用させたい施設を利用する確率を上げることができる。結果として、施設提示装置１００は、事業者がユーザに利用させたい施設を、ユーザが利用するように誘導することができる。
【００９８】
また、実施の形態１に係る施設提示装置１００は、上述の構成において、利用可能施設一覧取得部１９０は、利用可能施設一覧情報を取得する際に、移動時間取得部１６０が取得する移動時間情報を利用可能施設情報に対応付けて並べた利用可能施設一覧情報を取得するように構成した。
【００９９】
このように構成することにより、施設提示装置１００は、出発地から所在地までの移動に掛かる移動時間を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、移動時間情報を利用可能施設情報に対応付けて表示出力させることができる。そのため、施設提示装置１００は、ユーザに、施設に移動する際に掛かる移動時間を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【０１００】
また、実施の形態１に係る施設提示装置１００は、上述の構成に加えて、利用可能施設取得部１２０が取得する１以上の利用可能施設情報のそれぞれは、利用可能施設情報に対応する施設の所在地を示す所在地情報を含むものであって、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動料金を示す移動料金情報を取得する移動料金取得部１５０と、優先度決定部１４０が決定する優先度に基づいて、移動料金取得部１５０が取得する移動料金情報が示す移動料金を補正して、補正後の移動料金である移動補正料金を示す移動補正料金情報を取得する移動補正料金取得部１７０と、を備え、利用可能施設一覧取得部１９０は、利用可能施設一覧情報を取得する際に、移動補正料金取得部１７０が取得する移動補正料金情報を利用可能施設情報に対応付けて並べた利用可能施設一覧情報を取得するように構成した。
【０１０１】
このように構成することにより、事業者がユーザに利用させたい施設は、当該施設の優先度より優先度が高い他の施設に対して価格競争力が上昇する。
また、このように構成することにより、施設提示装置１００は、出発地から所在地までの移動に掛かる補正後の移動料金を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、移動補正料金情報を利用可能施設情報に対応付けて表示出力させることができる。そのため、施設提示装置１００は、ユーザに、施設に移動する際に掛かる補正後の移動料金を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【０１０２】
また、実施の形態１に係る施設提示装置１００は、上述の構成に加えて、利用可能施設取得部１２０が取得する１以上の利用可能施設情報のそれぞれは、利用可能施設情報に対応する施設の所在地を示す所在地情報と、利用可能施設情報に対応する施設の利用料金を示す利用料金情報とを含むものであって、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動料金を示す移動料金情報を取得する移動料金取得部１５０と、優先度決定部１４０が決定する優先度に基づいて、移動料金取得部１５０が取得する移動料金情報が示す移動料金を補正して、補正後の移動料金である移動補正料金を示す移動補正料金情報を取得する移動補正料金取得部１７０と、移動補正料金取得部１７０が取得する移動補正料金情報が示す移動補正料金と、利用可能施設情報に含まれる利用料金情報が示す利用料金との合計金額である合計補正金額を算出し、算出した合計補正金額を示す合計補正金額情報を取得する合計補正金額取得部１７１と、を備え、利用可能施設一覧取得部１９０は、利用可能施設一覧情報を取得する際に、合計補正金額取得部１７１が取得する合計補正金額情報を利用可能施設情報に対応付けて並べた利用可能施設一覧情報を取得するように構成した。
【０１０３】
このように構成することにより、事業者がユーザに利用させたい施設は、当該施設の優先度より優先度が高い他の施設に対して価格競争力が上昇する。
また、このように構成することにより、施設提示装置１００は、施設を利用する際に掛かる補正後の合計金額を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、合計補正金額情報を利用可能施設情報に対応付けて表示出力させることができる。そのため、施設提示装置１００は、ユーザに、施設を利用する際に掛かる補正後の合計金額を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【０１０４】
また、実施の形態１に係る施設提示装置１００は、上述の構成に加えて、利用可能施設取得部１２０が取得する１以上の利用可能施設情報のそれぞれは、利用可能施設情報に対応する施設の所在地を示す所在地情報と、利用可能施設情報に対応する施設の利用料金を示す利用料金情報とを含むものであって、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動料金を示す移動料金情報を取得する移動料金取得部１５０と、移動料金取得部１５０が取得する移動料金情報が示す移動料金と、利用可能施設情報に含まれる利用料金情報が示す利用料金との合計金額を算出し、算出した合計金額を示す合計金額情報を取得する合計金額取得部１５１と、優先度決定部１４０が決定する優先度に基づいて、合計金額取得部１５１が取得する合計金額情報が示す合計金額を補正して、補正後の合計金額である合計補正金額を示す合計補正金額情報を取得する合計補正金額取得部１７１と、を備え、利用可能施設一覧取得部１９０は、利用可能施設一覧情報を取得する際に、合計補正金額取得部１７１が取得する合計補正金額情報を利用可能施設情報に対応付けて並べた利用可能施設一覧情報を取得するように構成した。
【０１０５】
このように構成することにより、事業者がユーザに利用させたい施設は、当該施設の優先度より優先度が高い他の施設に対して価格競争力が上昇する。
また、このように構成することにより、施設提示装置１００は、施設を利用する際に掛かる補正後の合計金額を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、合計補正金額情報を利用可能施設情報に対応付けて表示出力させることができる。そのため、施設提示装置１００は、ユーザに、施設を利用する際に掛かる補正後の合計金額を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【０１０６】
また、実施の形態１に係る施設提示装置１００は、上述の構成に加えて、利用可能施設取得部１２０が取得する１以上の利用可能施設情報のそれぞれは、利用可能施設情報に対応する所在地を示す所在地情報を含むものであって、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動料金を示す移動料金情報を取得する移動料金取得部１５０と、利用可能施設取得部１２０が取得する１以上の利用可能施設情報が示す利用可能な施設毎に、出発地取得部１１０が取得する出発地情報と、利用可能施設情報に含まれる所在地情報とに基づいて、出発地情報が示す出発地から所在地情報が示す所在地までの移動に掛かる移動時間を示す移動時間情報を取得する移動時間取得部１６０と、優先度決定部１４０が決定する優先度と、移動時間取得部１６０が取得する移動時間情報とに基づいて、移動料金取得部１５０が取得する移動料金情報が示す移動料金を補正して、補正後の移動料金である移動補正料金を示す移動補正料金情報を取得する移動補正料金取得部１７０と、を備え、利用可能施設一覧取得部１９０は、利用可能施設一覧情報を取得する際に、移動補正料金取得部１７０が取得する移動補正料金情報を利用可能施設情報に対応付けて並べた利用可能施設一覧情報を取得するように構成した。
【０１０７】
このように構成することにより、事業者がユーザに利用させたい施設は、当該施設より施設まで移動する際に掛かる移動時間が短い他の施設に対して価格競争力が上昇する。
また、このように構成することにより、施設提示装置１００は、出発地から所在地までの移動に掛かる補正後の移動料金を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、移動補正料金情報を利用可能施設情報に対応付けて表示出力させることができる。そのため、施設提示装置１００は、ユーザに、施設に移動する際に掛かる補正後の移動料金を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【０１０８】
また、実施の形態１に係る施設提示装置１００は、上述の構成に加えて、利用可能施設取得部１２０が取得する１以上の利用可能施設情報のそれぞれは、利用可能施設情報に対応する施設の所在地を示す所在地情報と、利用可能施設情報に対応する施設の利用料金を示す利用料金情報とを含むものであって、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動料金を示す移動料金情報を取得する移動料金取得部１５０と、利用可能施設取得部１２０が取得する１以上の利用可能施設情報が示す利用可能な施設毎に、出発地取得部１１０が取得する出発地情報と、利用可能施設情報に含まれる所在地情報とに基づいて、出発地情報が示す出発地から所在地情報が示す所在地までの移動に掛かる移動時間を示す移動時間情報を取得する移動時間取得部１６０と、優先度決定部１４０が決定する優先度と、移動時間取得部１６０が取得する移動時間情報とに基づいて、移動料金取得部１５０が取得する移動料金情報が示す移動料金を補正して、補正後の移動料金である移動補正料金を示す移動補正料金情報を取得する移動補正料金取得部１７０と、移動補正料金取得部１７０が取得する移動補正料金情報が示す移動補正料金と、利用可能施設情報に含まれる利用料金情報が示す利用料金との合計金額である合計補正金額を算出し、算出した合計補正金額を示す合計補正金額情報を取得する合計補正金額取得部１７１と、を備え、利用可能施設一覧取得部１９０は、利用可能施設一覧情報を取得する際に、合計補正金額取得部１７１が取得する合計補正金額情報を利用可能施設情報に対応付けて並べた利用可能施設一覧情報を取得するように構成した。
【０１０９】
このように構成することにより、事業者がユーザに利用させたい施設は、当該施設より施設まで移動する際に掛かる移動時間が短い他の施設に対して価格競争力が上昇する。
また、このように構成することにより、施設提示装置１００は、施設を利用する際に掛かる補正後の合計金額を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、合計補正金額情報を利用可能施設情報に対応付けて表示出力させることができる。そのため、施設提示装置１００は、ユーザに、施設を利用する際に掛かる補正後の合計金額を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【０１１０】
また、実施の形態１に係る施設提示装置１００は、上述の構成に加えて、利用可能施設取得部１２０が取得する１以上の利用可能施設情報のそれぞれは、利用可能施設情報に対応する施設の所在地を示す所在地情報と、利用可能施設情報に対応する施設の利用料金を示す利用料金情報とを含むものであって、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地までの移動に掛かる移動料金を示す移動料金情報を取得する移動料金取得部１５０と、利用可能施設取得部１２０が取得する１以上の利用可能施設情報が示す利用可能な施設毎に、出発地取得部１１０が取得する出発地情報と、利用可能施設情報に含まれる所在地情報とに基づいて、出発地情報が示す出発地から所在地情報が示す所在地までの移動に掛かる移動時間を示す移動時間情報を取得する移動時間取得部１６０と、移動料金取得部１５０が取得する移動料金情報が示す移動料金と、利用可能施設情報に含まれる利用料金情報が示す利用料金との合計金額を算出し、算出した合計金額を示す合計金額情報を取得する合計金額取得部１５１と、優先度決定部１４０が決定する優先度と、移動時間取得部１６０が取得する移動時間情報とに基づいて、合計金額取得部１５１が取得する合計金額情報が示す合計金額を補正して、補正後の合計金額である合計補正金額を示す合計補正金額情報を取得する合計補正金額取得部１７１と、を備え、利用可能施設一覧取得部１９０は、利用可能施設一覧情報を取得する際に、合計補正金額取得部１７１が取得する合計補正金額情報を利用可能施設情報に対応付けて並べた利用可能施設一覧情報を取得するように構成した。
【０１１１】
このように構成することにより、事業者がユーザに利用させたい施設は、当該施設より施設まで移動する際に掛かる移動時間が短い他の施設に対して価格競争力が上昇する。
また、このように構成することにより、施設提示装置１００は、施設を利用する際に掛かる補正後の合計金額を考慮しつつ、ユーザ端末１０が備える表示部に、事業者が誘導したい施設を示す利用可能施設情報を上位に表示出力させることができる。また、施設提示装置１００は、ユーザ端末１０が備える表示部に、合計補正金額情報を利用可能施設情報に対応付けて表示出力させることができる。そのため、施設提示装置１００は、ユーザに、施設を利用する際に掛かる補正後の合計金額を比較させつつ、ユーザが、事業者がユーザに利用させたい施設を利用する確率を上げることができる。結果として、施設提示装置１００は、事業者がユーザに利用させたい施設を、ユーザが利用するように誘導することができる。
【０１１２】
また、実施の形態１に係る施設提示装置１００は、上述の構成に加えて、施設の希望利用期間を示す希望利用期間情報を取得する希望利用期間取得部１８０を備え、利用可能施設取得部１２０は、出発地情報に加えて、希望利用期間取得部１８０が取得する希望利用期間情報に基づいて、利用可能な施設を検索するように構成した。
【０１１３】
このように構成することにより、施設提示装置１００は、希望利用期間において事業者がユーザに利用させたい施設を、ユーザが利用するように誘導することができる。
【０１１４】
また、実施の形態１に係る施設提示装置１００は、上述の構成に加えて、施設の希望利用期間を示す希望利用期間情報を取得する希望利用期間取得部１８０を備え、誘導基本取得部１３０は、希望利用期間取得部１８０が取得する希望利用期間情報が示す施設の希望利用期間に対応する誘導基本情報を取得するように構成した。
【０１１５】
このように構成することにより、施設提示装置１００は、希望利用期間において事業者がユーザに利用させたい施設を、ユーザが利用するように誘導することができる。
【０１１６】
また、実施の形態１に係る施設提示装置１００は、上述の構成に加えて、施設に備えられている希望設備、又は、施設が提供している希望サービスを示す希望条件情報を取得する希望条件取得部１８１を備え、利用可能施設取得部１２０は、出発地情報に加えて、希望条件取得部１８１が取得する希望条件情報に基づいて、利用可能な施設を検索するように構成した。
【０１１７】
このように構成することにより、施設提示装置１００は、希望設備を備える施設、又は、希望サービスを提供している施設のうち、事業者がユーザに利用させたい施設を、ユーザが利用するように誘導することができる。
【０１１８】
また、実施の形態１に係る施設提示装置１００は、上述の構成において、誘導基本取得部１３０が取得する誘導基本情報は、施設毎の混雑状況を示す施設混雑情報、施設毎の施設周辺における混雑状況を示す周辺混雑情報、施設毎の施設周辺において開催されているイベントであって事業者が誘導したいイベントを示すイベント情報、又は、施設毎の施設周辺にある商店であって事業者が誘導したい商店を示す商店情報であるように構成した。
【０１１９】
このように構成することにより、施設提示装置１００は、事業者がユーザに利用させたい施設を、ユーザが利用するように誘導することができる。
【０１２０】
また、実施の形態１に係る施設提示装置１００は、上述の構成に加えて、利用可能施設取得部１２０が取得する１以上の利用可能施設情報のそれぞれは、利用可能施設情報に対応する施設の所在地を示す所在地情報を含むものであって、利用可能施設取得部１２０が取得する１以上の利用可能施設情報に対応する施設毎に、出発地取得部１１０が取得する出発地情報と、利用可能施設情報に含まれる所在地情報とに基づいて、出発地情報が示す出発地から所在地情報が示す所在地まで移動するための移動手段を示す移動手段情報を取得する移動手段取得部１３１を備え、誘導基本取得部１３０が取得する誘導基本情報は、移動手段の混雑状況を示す移動手段混雑情報であって、優先度決定部１４０は、誘導基本取得部１３０が取得する誘導基本情報である移動手段混雑情報に加えて、移動手段取得部１３１が取得する移動手段情報に基づいて、事業者が誘導したい施設の優先度を決定するように構成した。
【０１２１】
このように構成することにより、施設提示装置１００は、事業者がユーザに利用させたい施設を、ユーザが利用するように誘導することができる。
【０１２２】
また、実施の形態１に係る施設提示装置１００は、上述の構成に加えて、利用可能施設取得部１２０が取得する１以上の利用可能施設情報のうちの選択された利用可能施設情報に対応する施設を利用するための予約申請を示す予約申請情報を取得する予約申請取得部１８２と、予約申請取得部１８２が取得する予約申請情報に基づいて、当該施設を利用するための予約手続処理を行う予約手続部１８３と、を備えた。
【０１２３】
このように構成することにより、施設提示装置１００は、事業者がユーザに利用させたい施設を、ユーザが利用するように誘導しつつ、ユーザからの要求に応じて、施設を利用するための予約手続処理を行うことができる。
【０１２４】
なお、本開示はその開示の範囲内において、実施の形態の任意の構成要素の変形、もしくは実施の形態において任意の構成要素の省略が可能である。
【産業上の利用可能性】
【０１２５】
本開示の施設提示装置は、施設提示システムに適用することができる。
【符号の説明】
【０１２６】
１  施設提示システム、１０  ユーザ端末、２０  記憶装置、７０  ネットワーク、１００  施設提示装置、１１０  出発地取得部、１２０  利用可能施設取得部、１３０  誘導基本取得部、１３１  移動手段取得部、１４０  優先度決定部、１５０  移動料金取得部、１５１  合計金額取得部、１６０  移動時間取得部、１７０  移動補正料金取得部、１７１  合計補正金額取得部、１８０  希望利用期間取得部、１８１  希望条件取得部、１８２  予約申請取得部、１８３  予約手続部、１９０  利用可能施設一覧取得部、１９９  利用可能施設一覧出力部、３０１  プロセッサ、３０２  メモリ、３０３  処理回路。
【要約】
施設提示装置（１００）は、出発地を示す出発地情報を取得する出発地取得部（１１０）と、出発地情報に基づいて、利用可能な施設を検索し、検索結果として得られた１以上の利用可能な施設を示す施設毎の利用可能施設情報であって、利用可能施設情報に対応する施設の名称を示す施設名称情報を含む利用可能施設情報を取得する利用可能施設取得部（１２０）と、事業者が誘導したい施設に関する誘導基本情報を取得する誘導基本取得部（１３０）と、誘導基本情報に基づいて、事業者が誘導したい施設の優先度を決定する優先度決定部（１４０）と、優先度決定部（１４０）が決定した優先度に基づいて、利用可能施設取得部（１２０）が取得する１以上の利用可能施設情報を並べた利用可能施設一覧情報を取得する利用可能施設一覧取得部（１９０）と、利用可能施設一覧情報を出力する利用可能施設一覧出力部（１９９）と、を備えた。【図１】
0006976479.tif 000002
【図２】
0006976479.tif 000003
【図３】
0006976479.tif 000004
【図４】
0006976479.tif 000005